【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
内視鏡検査で、レーザーで誘起された対象反応放射に基づいて、高解像度の顕微鏡画像を生成する為の方法において、
‐透過系（４；３５）と上記透過系の端部で固定接続されておりそして対象（１）の局所的な反応放射をマイクロメーターからナノメーターの範囲で誘発する為に０．５５よりも大きな開口数を有する小型フォーカシング光学素子（５）とからなる、透過フォーカシング光学ユニット（４５）を用いて、レーザー系から対象（１）へ、フォーカシングされた励起放射を、パルスを与えて入射する工程、
‐対象（１）に対して連続的、空間的に変更される励起放射の位置調整の為、及び、小型フォーカシング光学素子（５）の遠位端に存する対象（１）の対象反応放射の局所的に割り当てられた高解像度の走査の為に、透過フォーカシング光学素子ユニット（４５）の遠位端を少なくとも２次元的にスキャン移動する工程、及び
‐透過フォーカシング光学素子ユニット（４５）を用いて、光子検出器（３６）を有する画像生成系（３０）へ、局所的に漸進して走査される対象反応放射を透過する工程、
を特徴とする方法。
【請求項２】
請求項１に記載の方法において、２次元的なスキャン移動に対し直行する第３のスキャンプロセスが、透過フォーカシング光学ユニット（４５）の軸方向の移動により、小型フォーカシング光学素子（５）により予め定められた焦点面での対象反応放射の２次元的なスキャン移動から生成された画像記録の深度を変更する為に、行われることを特徴とする方法。
【請求項３】
請求項１又は２に記載の方法において、小型フォーカシング光学素子（５）、及び、照射検出デバイス（３０）に属し照射検出デバイス（３０）に対して直接光学的連結を生じる光学素子（３５）が、固定接続により、透過フォーカシング光学素子ユニット（４５）として、同時にスキャンして移動され、その際、軸方向で、対象（１）での焦点面の深度を調節する為の相対移動を実行できることを特徴とする方法。
【請求項４】
請求項３に記載の方法において、透過系及び小型フォーカシング光学素子（５）の間の距離を変更することで、焦点面が変更されることを特徴とする方法。
【請求項５】
請求項１又は２に記載の方法において、小型フォーカシング光学素子（５）、及び、照射検出デバイス（３０）に対し光学的連結を生じる光学ファイバ（４）が、固定接続により、透過フォーカシング光学素子ユニット（４５）として、同時にスキャンして移動されることを特徴とする方法。
【請求項６】
請求項５に記載の方法において、複数のファイバフォーカシング光学素子ユニット（４５）からなるファイバ束の一種によって、対象（１）の多チャンネル走査が同時に実行されることを特徴とする方法。
【請求項７】
請求項５に記載の方法において、パラメータの変更により励起放射が組織処理の為に用いられることで、複数のファイバフォーカシング光学素子ユニット（４５）からなるファイバ束の一種によって、対象（１）の画像化機能及び処理機能が準同時に実行されることを特徴とする方法。
【請求項８】
請求項２に記載の方法において、
‐励起放射を出力の高められた有効放射へ切り替えること
‐局所的な組織変化を誘発する為に、透過フォーカシング光学素子ユニット（４５）によってフォーカシングされる有効放射をパルスを与えて対象（１）へ入射すること、及び、
‐対象（１）の３次元的な処理工程を実行する為に、透過フォーカシング光学素子ユニット（４５）の遠位端を規定して移動すること、
を特徴とする方法。
【請求項９】
請求項８に記載の方法において、対象反応放射を空間分解して画像記録する為の出力を減少された励起放射のスキャンされる入射と交互して、対象（１）を組織処理する為に出力を高められた有効放射の入射への切り替えが行われることを特徴とする方法。
【請求項１０】
請求項８に記載の方法において、対象（１）から放出される放射を、時間相関単一光子計数により検出することを特徴とする方法。
【請求項１１】
レーザー内視鏡検査で１ミリメートル未満の精度で生体物質を微細処理する為の方法において、
‐０．０５ｎＪから１００μＪまでのパルスエネルギーを有するフェムト秒レーザーのレーザーパルスを、ファイバ（４）を介して対象側に配設される大きな開口数を有する小型フォーカシング光学素子（５）へ結合し、また、１０μｍ未満の照射スポットを有する対象（１）内部のターゲット上へフォーカシングする工程、
‐隣接する領域に深刻な付随的損傷を生じずに、１００μｍ未満の精度を有する内視鏡的な微細処理の為に用いられる１００ＧＷ／ｃｍ２よりも強い透過強度を有するレーザーパルスによって、ターゲットの電離、光学破壊、及び、プラズマ形成の形の多光子過程を誘発する工程、及び
‐微細処理を観察する為に、照射検出デバイス（３０）を用いて、ターゲットから放射されるプラズマ放射並びにターゲットから放出されるその他の対象反応放射を画像生成して検出する工程、
を特徴とする方法。
【請求項１２】
請求項１１に記載の方法において、隣接する細胞を損傷することなく、単一点照射により組織群内の個々の細胞を光学破壊し、その際、破壊領域の直径が、露光時間並びに用いるレーザーパルスエネルギーを選択することにより、変更されることを特徴とする方法。
【請求項１３】
請求項１１に記載の方法において、直線的な移動により、対象（１）内部で、切断幅が１０μｍ未満の正確な切断を実行し、その際、露光時間並びに用いるレーザーパルスエネルギーを選択することにより、切断幅が変更されることを特徴とする方法。
【請求項１４】
請求項１１に記載の方法において、領域（ＲＯＩ）のスキャンによって、１００μｍ２から１ｍｍ２までのより大きな面上で、１０μｍ未満の精度及び２０μｍ未満の奥行き効果で、正確な物質除去を実現することを特徴とする方法。
【請求項１５】
請求項１１に記載の方法において、領域（ＲＯＩ）のスキャン及び焦点面の変位によって、１μｍ３から１０００ｍｍ３までの範囲で大体積の物質除去が実現されることを特徴とする方法。
【請求項１６】
特に内視鏡的使用の為の、小型の顕微鏡ヘッドにして、
励起放射を供給する為の透過光学素子、対象へ励起放射を収束してエネルギー入力する為のフォーカシング光学素子、及び、エネルギー入力の位置を変更する為のスキャンデバイスが、ハウジング内に配設され、その際フォーカシング光学素子がハウジング内の窓を通過して有効放射を対象へフォーカシングする小型の顕微鏡ヘッドにおいて、
‐フォーカシング光学素子が、６ｍｍ未満の直径、及び、０．５５よりも大きな開口数（ＮＡ）を有する小型フォーカシング光学素子（５）であり、その際励起放射が小型フォーカシング光学素子（５）によって局所的に、１００μｍ未満の領域上へ制限されて、対象（１）へフォーカシングされること、
‐透過光学素子（４）が、ハウジング内に存するその端部で、小型フォーカシング光学素子（５）と固定接続されており、且つ、透過フォーカシング光学素子ユニット（４５）を形成すること、及び
‐スキャンデバイスが、窓（３）の極近で小型フォーカシング光学素子（５）を横方向へ移動する為の、平面で２次元的に可動性の少なくとも１つのスキャンアクチュエータ（６）を有すること、
を特徴とする顕微鏡ヘッド。
【請求項１７】
請求項１６に記載の装置において、スキャンデバイスが更に透過フォーカシング光学素子ユニット（４５）を軸方向へ移動する為の軸方向に可動性の調整ユニット（８）を有し、その際、透過フォーカシング光学素子ユニット（４５）は調整ユニット（８）にて軸方向に確実に固定されていることを特徴とする装置。
【請求項１８】
請求項１６に記載の装置において、透過フォーカシング光学素子ユニット（４５）が小型フォーカシング光学素子（５）及び光学ファイバ（４）から固定して構成され、その際、透過フォーカシング光学素子ユニット（４５）は調整ユニット（８）で軸方向に確実に固定されていることを特徴とする装置。
【請求項１９】
請求項１６に記載の装置において、透過フォーカシング光学素子ユニット（４５）が小型フォーカシング光学素子（５）及び反射性の導波管から固定して構成され、その際、透過フォーカシング光学素子ユニット（４５）は調整ユニット（８）で軸方向に確実に固定されていることを特徴とする装置。
【請求項２０】
請求項１６に記載の装置において、透過フォーカシング光学素子ユニット（４５）が、小型フォーカシング光学素子（５）、及び、照射検出デバイス（３０）の顕微鏡対物レンズ（３５）からなり、その際、２次元的なスキャンアクチュエータ（６）及び軸方向調整ユニット（８）は独占的に小型光学素子（５）へ結合されていることを特徴とする装置。
【請求項２１】
請求項１６に記載の装置において、フォーカシング光学素子（５）が、円形の端面を有する屈折率分布型光学素子であることを特徴とする装置。
【請求項２２】
請求項１６に記載の装置において、フォーカシング光学素子（５）が、上流側の屈折性の球面レンズセグメント（５’）を有する屈折率分布型光学素子であること特徴とする装置。
【請求項２３】
請求項１６に記載の装置において、フォーカシング光学素子（５）が２レンズの屈折率分布型光学素子（５’’、５’’’）及び回折光学素子（５*）を含むことを特徴とする装置。
【請求項２４】
請求項１６に記載の装置において、軸方向調整ユニット（８）が２次元的なスキャンアクチュエータ（６）と固定接続され、また、スキャンアクチュエータ（６、６’、６’’、６’’’）が軸方向に可動性のスキャナホルダ（７）に固定されていることを特徴とする装置。
【請求項２５】
請求項１８に記載の装置において、透過光学素子が、フェムト秒レーザー放射をほぼ散乱なしで透過するダブルクラッド‐ラージエリア‐コア‐フォトニック結晶ファイバの型の微細構造ファイバ（４）であることを特徴とする装置。
【請求項２６】
請求項１８に記載の装置において、透過光学素子が、ラージエリア‐コア‐フォトニック結晶ファイバの型のファイバ（４）であることを特徴とする装置。
【請求項２７】
請求項１８に記載の装置において、ハウジング（２）内にてファイバ（４）の周囲に対象反応放射を直接的に記録する為の少なくとも１つの受光器（１７）が配設されていることを特徴とする装置。
【請求項２８】
請求項１８に記載の装置において、ハウジング（２）内にてファイバ（４）の周囲に対象反応放射のスペクトルの様々な構成要素を直接的に記録する為の複数の受光器（１７）が配設されていることを特徴とする装置。
【請求項２９】
請求項１８に記載の装置において、複数のファイバ（４）がハウジング（２）内で平行に配設され、また、上記ファイバがファイバホルダ（２４）内で平行に案内されていることを特徴とする装置。
【請求項３０】
請求項２９に記載の装置において、ファイバ（４）が、柔軟なバンド（２６）に埋め込まれており、また、振動を抑制する為の補強要素（２５）を有することを特徴とする装置。
【請求項３１】
請求項１６に記載の装置において、ハウジング（２）がパイプ形状に形成され、又、その端側でカバー（２’）及び窓（３）により密に密閉されていることを特徴とする装置。
【請求項３２】
請求項１６に記載の装置において、ハウジング（２）が少なくとも１つの平坦な側壁を有し、その際、ハウジング（２）の平坦な側壁で、側面に沿って、窓（３）が着設され、また、ハウジング（２）は端側のカバー（２’）により密に密閉されていることを特徴とする装置。
【請求項３３】
請求項３２に記載の装置において、小型フォーカシング光学素子（５）が放射屈折要素（５**）を有し、それにより励起放射は透過フォーカシング光学素子ユニット（４５）から横方向に出て、且つ、側面に配設された窓（３）を通過して対象（１）上にフォーカシング可能であり、その際、対象（１）での横方向の第１のスキャン次元の為の調整ユニット（８）、及び、横方向の第２のスキャン次元並びに対象（１）の深度スキャンの為のスキャンアクチュエータ（６）が設けられていることを特徴とする装置。
【請求項３４】
請求項３１又は３２に記載の装置において、密に密閉されたハウジング（２）が真空状態にされていることを特徴とする装置。